(57)【要約】      （修正有）【課題】本考案は、排尿量が尿パック内に満杯間際になった時に警報を知らせ、秤量精度を向上させ、コンパクト化した簡易尿パック警報装置を提供する。【解決手段】各種ばねを単体又は各々を組合せ、秤量高精度を実現させ、それによる正確値で警報装置を作動させることと、それらをケース内に収納させることでコンパクト化としたことを特徴としたものである。【選択図】図１
0003126509.tif 000002
【実用新案登録請求の範囲】
【請求項１】
尿を溜める容器を昇降動する下部フックに取付け、上部に容器を支承するケースと上部フックを設け、尿がパックに満杯間際に下部フックを下方へ降下する弾性部材と下降した下部フックによってＯＮする検知スイッチによって容器が満杯間際であることを知らせる警報器を備えたことを特徴とする簡易尿パック警報装置。
【請求項２】
降下する下部フックの下端にケースの弾性の異なる二重バネを構成したことを特徴とする請求項１に記載の簡易尿パック警報装置。
【請求項３】
ケース内に弾性部材として、弾性の異なる部材を構成したことを特徴とする簡易尿パック警報装置。
【請求項４】
ケース内に収納され、下部フックの上部に当接する板状短冊状バネを弾性部材として構成したことを特徴とする請求項３に記載の簡易尿パック警報装置。
【請求項５】
ケース内に収納され、下降する下部フックの上部に当接する板状くもの巣状バネの弾性部材を構成したことを特徴とする請求項３に記載の簡易尿パック警報装置。
【請求項６】
ケース内に収納する下部フックの上部外壁に当接するうず巻状バネの弾性部材で構成したことを特徴とする請求項３に記載の簡易尿パック警報装置。
【請求項７】
ケース内に収納され、下降する下部フックに当接する弾性部材をコイル状バネに構成したことを特徴とする請求項３に記載の簡易尿パック警報装置。
【請求項８】
ケース内に収納され、下降する下部フックに当接する弾性部材を円筒状バネに構成したことを特徴とする請求項３に記載の簡易尿パック警報装置。
【請求項９】
ケース内に収納され、下降する下部フックに当接する弾性部材を円錐状バネに構成したことを特徴とする請求項３に記載の簡易尿パック警報装置。
【請求項１０】
ケース内に弾性部材として、板状バネ及びコイル状バネを併用して収納され、下降する下部フックに当接したことを特徴とする請求項３に記載の簡易尿パック警報装置。
【請求項１１】
上部フックとケースを一体化したことを特徴とする請求項３に記載の簡易尿パック警報装置。
【請求項１２】
ケース内に警報器として、ブザー及びライトを設けたことを特徴とする請求項３に記載の簡易尿パック警報装置。
【請求項１３】
ケース内の弾性部材のバネ圧状態を微調整する調整ネジを設けたことを特徴とする請求項３に記載の簡易尿パック警報装置。
【請求項１４】
弾性部材に磁石を設置し、前記磁石に反応するホール素子によって、検知スイッチが作動することを特徴とした請求項３に記載の簡易尿パック警報装置。
【請求項１５】
ケース、フック、アラーム等を小型軽量化とし、ハンドバックやセカンドバック及びポケット等に収納し、常に携帯可能としたことを特徴とした請求項３に記載の簡易尿パック警報装置。
【考案の詳細な説明】
【技術分野】
【０００１】  本考案は、患者の排尿に使用される尿パックの警報装置に関し、簡単構造でしかも秤量精度を向上させ、尿パックが満杯間際で知らせることが出来るようにした簡易尿パック警報装置に関するものである。
【背景技術】
【０００２】  従来、各種の病気や事故に遭った患者に対しては、輸液治療が行われることが多い。患者によっては、手足の不自由な人や歩行困難な人、又は、重病患者や手術後の患者等は、トイレに行けない状態であることが多く、尿チューブを身体にセットして、ベッド下側に設置してある尿パックへ尿排出チューブを介して尿を溜める装置を使用している。【０００３】  この方法は看護士及び付添い人が、尿を一定量に達した時点で、尿処理としている為、常に監視しなければならない。【０００４】  そこで、尿パックの増量が多くなった時に警報が出るようにした装置が各種提案されている。その装置には、光透過型や反射型、導電性型、超音波型等によって尿量を検査するものであり、尿量検出センサーなどを使用する高度検出的なものもある。【０００５】  尿パックの容量を大きくする方法もあるが、悪臭や腐敗の問題があり、運搬などを考慮すると一般的には、１リットル程度の尿パンクが使用され、看護士が一定時ストックしているが、患者によって尿量も異なり、特にベッドの下側にあり、監視する場合、特に夜間は看護士一人で２０人ほどの患者を重複する場合もあるので、尿パックによるトラブルが発生しやすいものである。【０００６】  例えば、精度の高い高価な装置で２４時間検出するものもあるが、検査が優先され、体温や脈拍、及び呼吸数、血圧などの測定機のセンサーが多くあり、尿パックのリークまでは、検出されないのが現状である。【０００７】  これらには、尿パックにレベルセンサーをセットして使用されるものもあるが、尿パックの取り扱いが容易でなく、センサーの汚れや衛生面、又は検出手段尿パックの再使用などの問題もあり、ナースステーションへの報知ができる装置も開示されている。従来、（［特許文献］特許平１０−２２１６２０）では、点滴用警報装置及び尿溜用警報装置とし、提出されているものもあるが、若干による高価と秤量精度の不安定さが指摘されるものである。
【考案の開示】
【考案が解決しようとする課題】
【０００８】  本考案は、このようなこれら問題を解決し、尿パックの重量を測定することによって、尿量の満杯間際を検出した簡易な装置は、一般的にバネを利用した秤によって、尿量を検出するようになっている。従って、秤に使用されるバネは、尿パック内に最大限に溜められても弾性限度を超えることがないようなものである。しかし、警報を発するタイミングは尿パックの９０〜９５％量の時に発生させることが望ましいが、バネの往時変化によっては、精度が低下していく場合も多くなり、尿パックよりオーバーする。【０００９】  また、センサーなどを備えた装置に容積を高精度に検出することもできるが、しかも装置が複雑になり、装置コストが高価になってしまう可能性が大である。また、ホスピタルコンピューターなどに接続する場合は、専門知識が必要になり、病院などの付き添いや患者自身が手軽に使用することはむずかしい。そこで、本考案は、簡単な構造でしかも秤量精度を向上させ、尿の満杯間際であることを検出することができるようにした簡易尿パック警報装置を提供するものである。【００１０】  更に、簡易な精度で秤量精度の高い簡易尿パック装置である為、病院や集中治療室、及び診療所、保健所、個人病院などの尿パックを備えていないところでも、使用することができるものである。これは、小型軽量で安価である為、ハンドバックやポケットなどで持ち運びが容易であり、携帯用として扱うことができ、常時持ち歩きが可能な簡易尿パック警報装置を提供することを目的とする。
【課題を解決する為の手段】
【００１１】  本考案の前記課題を解決する為の第１の簡易尿パック装置は、尿を溜めた容器を吊り下げる昇降動する下部フックを下端に取り付け、ケース上部にフックを設け、尿がパックの満杯間際まで尿の重量によって、降下した下部フックの支柱下側が、第１のバネによって支えられ、尿の満杯近くに下部の第２バネに接触して、下部第２バネによってＯＮするアラームスイッチと前記アラームスイッチに接続され、アラームスイッチのＯＮによって尿が満杯間際であることを知らせる警報器を備えたことを特徴とするものである。
【００１２】  前記の第１の簡易尿パック警報装置によれば、ケース内に設置された第１バネは、弾性係数の大きなものを使用し、尿パック満杯間際に弾性係数の小さいバネで秤量精度が優れる為、アラームスイッチをＯＮにすることができる。これによって、警報器が作動し、患者や看護士に尿パックが満杯間際であることが知らされる。
【００１３】  前記の課題を解決する為の第２の簡易尿パック装置は、前記第１の簡易警報装置であって、昇降動する下部フックに弾性の異なるバネを二重三重に構成したことを特徴としたものである。
【００１４】  前記の課題を解決する為の第３の簡易尿パック装置は、前記第２の簡易警報装置であって、ケース内に収納され、ケース及び上部フックに下部と当接する板状リングバネによって、弾性部材を構成したことを特徴としたものである。
【００１５】  前記の課題を解決する為に第４の簡易尿パック装置は、前記第３の簡易警報装置であって、ケース内に収容されたケースに当接する板状変形バネによって弾性部材を構成したことを特徴としたものである。
【００１６】  前記の課題を解決する為に第５の簡易尿パック装置は、前記第４の簡易警報装置であって、板状のリングバネ及びリング状バネのバネ圧状態を加減する調整ネジをケースの外側に設けたことを特徴とするものである。
【００１７】  前記の課題を解決する為の第６の簡易尿パック警報装置は、前記第５の簡易警報装置であって、直径及び幅とバネの力が異なる板状リングバネ及び板状変形バネをケース内に収納させたことを特徴とするものである。
【００１８】  前記の課題を解決する為の第７の簡易尿パック警報装置は、前記第６の警報装置であり、前記第１から第６の何れかに記載の警報装置であって、板状及びコイル状バネに磁石を設置し、その磁石に反応するホール素子によって、アラームスイッチを作動させることを特徴としたものである。
【００１９】  前記の課題を解決する為の第８の簡易尿パック警報装置は、前記第７に記載の警報装置であって、ケース内に有線及び無線によって、ナースステーションに報知することを特徴としたものである。
【００２０】  前記の課題を解決する為の第９の簡易尿パック警報装置は、前記第８に記載の警報装置であって、ケース上部フックをケースに一体化したことを特徴としたものである。
【００２１】  前記の課題を解決する為の第１０の簡易尿パック系譜装置は、前記第９の何れかに記載の警報装置であって、ケース上部をケース外部に沿った鍵形状フックの折りたたみ式とその支持部をメインスイッチと連動したことを特徴としたものである。
【００２２】  前記の課題を解決する為の第１１の簡易尿パック警報装置は、前記第１０の何れかに記載の警報装置であって、ケース内に音声合成アンプを構成し、警報の音色も単音かミュージックメロデーとすることを特徴としたものである。
【考案の効果】
【００２３】  本考案によれば、パック内の尿量が多い場合は、下部フックに大きな荷重が加えられる間は、ケースの中央部に設けられた調整可能な大きなバネに支承される為、弾性係数の大きな弾性体を使用することができる。パック内の尿量が更に満杯間際まで増加した場合には、中央部バネの下部に設けられた弾性係数の小さなバネが高精度にアラームスイッチをＯＮすることができる。しがも弾性部材として、板状リングバネ及びコイル状バネを使用することによって、コンパクトに構成された簡易尿パック警報装置とすることができるものである。
【００２４】  したがって、尿パック満杯間際の尿量が的確となり、看護士の過剰労働の一因を解消することができる。また、患者自身や付添人も尿パックのリークトラブルがなく、更に神経質が解消され、安心して睡眠などをとることができるようになるものである。しかも極めて簡単な構造で秤量精度を向上させることができる為、コストダウンを図ることも可能である。更に板状リングバネ及びいた状バネ、コイル状バネの弾性部材を使用することによって、コンパクト化された簡易尿パック警報装置となるものである。
【考案を実施するための最良の形態】
【実施例】
【００２５】  本考案は尿パンク警報装置の尿パック吊下げ下部フック部に板状バネ及びコイル状バネを設置し、昇降動させ、尿の重量によって下降した下部フックを支承するストッパーを尿パック満杯間際に下方へ付勢させて、アラームスイッチをＯＮとし、警報を発するものである。【００２６】  板状バネ及び板状変形バネを使用する簡易尿パック警報装置の基本的な構造を図２及び図３を参照にしながら説明する。図１は、本考案の簡易尿パック警報装置の外観図であり、使用状態を示すものである。【００２７】  図２の（ａ）は、尿が満杯間際以前、つまり、使用前の状態も含んでおり、その内部構造を示す、図１のＡ−Ａ’断面図である。また、図２の（ｂ）は、満杯間際の時、その内部構造状態を示す、図１のＡ−Ａ’断面図である。本考案の簡易尿パック警報装置は排尿２０を溜めた尿パック１９を昇降下する下部フック４に取付けられ、ケース上部１５に固定させ、下方へ付勢させる弾性部材である弾性強板状バネ２と弾性弱板状バネ２ａが配置される。図３は、コイル状バネを用いた時の断面図を示すものであり、弾性強コイル状円形引張りバネ１０と弾性弱コイル状円形引張りバネ１０ａを用い、ケース１及び下部フック４のストレート部に配置され、動作については図２の板状バネと同様であるので、ここでは省略する。【００２８】  尿パック１９に溜められた排尿２０の重量で、下部フック４を下方へ引き下げ、弾性強板状バネ２及び弾性強コイル状円形引張りバネ１０が、弾性限度を超えるほど、伸ばされないようにする為、下部フック４に支承する下部フックストッパー１１である。下部フック４のケース内中央の検知板１６が検知スイッチ９に接しながら押し下げ、ＯＮ状態になることで目的が達成されるものである。弾性弱板状バネ２ａ及び弾性弱コイルバネ状円形引張りバネ１０ａは、弾性強板状バネ２の下部にまた、弾性強コイル状円形引張りバネ１０の内側にそれぞれ設置されているが、弾性強のバネは８０〜９０％までの尿重量を検出し、長時間のバネ弾性低下を防止し、弾性弱のバネは、残量の１０〜２０％の少尿量の秤量精度を検知して、警報装置の作動に対応させるものである。【００２９】  図４に示すようにケース上部１６には、上部フック３と板状リングバネ２１が支持され、目的が達成される。板状リングバネ２１は、尿パック１９内の排尿２０の量が多くなるまで、板状リングバネ２１は満杯間際近くの排尿２０の秤量精度の優れたものになっている。板状リングバネ２１の構造で、２〜３重バネのストッパー動作及び効果については、図２及び図３と同じであるので、省略する。【００３０】  図４に示すようにケース上部１６には、上部フック３と板状リングバネ２１の上部を支承し、その両端部には調整ネジＡ１２及び調整ネジＢ１２ａが蝶合される。調整ネジＡ１２と調整ネジＢ１２ａは、板状リングバネ２１に接合され、ケース上部１６に設置されたそれぞれの調整ネジを回すことで、板状リングバネ２１の圧縮状態の加減を任意に調整できるものである。即ち、板状リングバネ２１の男性係数が経時的に変化しても調整ネジＡ１２と調整ネジＢ１２ａによって、秤量の微調整が可能であり、尿パック１９の排尿量増減に対応できるものである。【００３１】  下部フック４が下降した位置には、尿パック１９の排尿２０の量が多くなったことを知らせる検知スイッチ９が配置される。検知スイッチ９は例えば、マイクロスイッチのような形状の小型化したものを使用し、下部フック４が下降した時に検知スイッチ９を検知板１６が押し下げ、アラーム７に接続されて警報されるものである。【００３２】  検知スイッチ９は、電源５と電源スイッチ６とアラーム７及びライト８とナースステーションへ警報を伝達する為の端子１４にそれぞれ接続される。図２では、ベッドに横臥している患者が操作しやすいような位置にそれぞれのスイッチがあり、ライト８は下向きに設置しているものである。【００３３】  ナースステーションへ警報を伝達する為の端子１４には、病室に備えられた既存の手元押しボタンスイッチ、いわゆるナースコールを接続したケーブル３０を分岐し、それに接続することが可能である。また、電波障害などを起こさない赤外線を利用した無線によって伝達することができるものである。図６に結線概略図を示す。その中で図６の（ｃ）は、本考案の簡易尿パック警報装置を無線によってナースステーションに報知する為に、送信機などを含む結線概略図である。このように無線式の場合は、アンプ３１は送信に切換えられたナースステーション内の警報器で、手元押しボタンスイッチを接続したケーブル３０を分岐した部分に受信機３３と送信機３４が接続される。無線式とすることにより、ケーブル３０が患者の周りに配線されることがなく、従って、患者がケーブル３０に引っ掛けたりすることなどの事故防止にも繋がるものである。【００３４】  図５には、本考案に使用される弾性部材の代表的な板状くもの巣状バネ２２の平面図及び側面図を示す。尿パック１９はベッドの下側にセットされる場合が多く、装置としてはなるべく、コンパクトのものが必要とされるが、この板状くもの巣状バネについては、薄い形状のものが必要不可欠とされるものである。【００３５】  図６（ａ）は、簡易尿パック警報装置の基本内部結線の概略図あり、下部フック４と検知スイッチ９及び電源５がケーブル３０により伝達され、アラーム７とライト８の排尿量満杯間際の警報を発するものである。【００３６】  図６の（ｂ）は簡易尿パック警報装置のホール素子を使用した内部結線の概略図で、下部フック４に設置された永久磁石３５に対応するホール素子２９及び電源５がケーブル３０により伝達され、アラーム７とライト８が作動するものである。【００３７】  図６の（ｃ）は、ナースステーションへ無線により警報を知らせる送信機３４などを示す結線概略図であり、送信アンテナ３２の受信を受信機３３の受信アンテナ３６に受け、ナースステーションへケーブル３０によって伝達し、アンプ３１及びアラーム７、ライト８が作動して警報が伝達されるものである。
【図面の簡単な説明】
【００３８】
【図１】簡易尿パック警報装置の外観図
【図２】（ａ）は、板状変形バネを使用した簡易尿パック警報装置の動作前であり、（ｂ）は、板状変形バネを使用した簡易尿パック警報装置の動作後であり、それぞれ図１のＡ−Ａ’断面図である。
【図３】コイル状円形引張りバネを使用した簡易尿パック警報装置であり、図１のＡ−Ａ’断面図である。
【図４】板状リング状バネを使用した簡易尿パック警報装置であり、図１に示すＡ−Ａ’の断面図に調整ネジ２箇所を追加したものである。
【図５】板状くもの巣状バネの平面図と側面図である。
【図６】（ａ），（ｂ），（ｃ）とも簡易尿パック警報装置の結線概略図である。（ａ）は、アラームスイッチの概略図であり、（ｂ）は、ホール素子と永久磁石を使用した概略図であり、（ｃ）は、無線による概略図である。
【符号の説明】
１、  ケース
２、  弾性強板状バネ
２ａ、弾性弱板状バネ
３、  上部フック
４、  下部フック
５、  電源
６、  電源スイッチ
７、  アラーム
８、  ライト
９、  検知マイクロスイッチ
１０、  弾性強コイル状円形引張りバネ
１０ａ、弾性弱コイル状円形引張りバネ
１１、  下部フックストッパー
１２、  調整ネジＡ
１２ａ、調整ネジＢ
１３、  下部フック支持リング
１４、  端子
１５、  ケース上部
１６、  検知板
１７、  下部フック接続ナット
１８、  上部フック接続ナット
１９、  尿パック
２０、  尿残量
２１、  板状リングバネ
２２、  板状くもの巣状リングバネ
２９、  ホール素子
３０、  接続ケーブル
３１、  アンプ
３２、  送信アンテナ
３３、  受信機
３４、  送信機
３５、  永久磁石
３６、  受信アンテナ
【図１】
0003126509.tif 000003
【図２】
0003126509.tif 000004
0003126509.tif 000005
【図３】
0003126509.tif 000006
【図４】
0003126509.tif 000007
【図５】
0003126509.tif 000008
【図６】
0003126509.tif 000009
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
尿を溜める容器を昇降動する下部フックに取付け、上部に容器を支承するケースと上部フックを設け、尿がパックに満杯間際に下部フックを下方へ降下する弾性部材と下降した下部フックによってＯＮする検知スイッチによって容器が満杯間際であることを知らせる警報器を備えたことを特徴とする簡易尿パック警報装置。
【請求項２】
降下する下部フックの下端にケースの弾性の異なる二重バネを構成したことを特徴とする請求項１に記載の簡易尿パック警報装置。
【請求項３】
ケース内に弾性部材として、弾性の異なる部材を構成したことを特徴とする請求項１に記載の簡易尿パック警報装置。
【請求項４】
ケース内に収納され、下部フックの上部に当接する板状短冊状バネを弾性部材として構成したことを特徴とする請求項３に記載の簡易尿パック警報装置。
【請求項５】
ケース内に収納され、下降する下部フックの上部に当接する板状くもの巣状バネの弾性部材を構成したことを特徴とする請求項３に記載の簡易尿パック警報装置。
【請求項６】
ケース内に収納する下部フックの上部外壁に当接するうず巻状バネの弾性部材で構成したことを特徴とする請求項３に記載の簡易尿パック警報装置。
【請求項７】
ケース内に収納され、下降する下部フックに当接する弾性部材をコイル状バネに構成したことを特徴とする請求項３に記載の簡易尿パック警報装置。
【請求項８】
ケース内に収納され、下降する下部フックに当接する弾性部材を円筒状バネに構成したことを特徴とする請求項３に記載の簡易尿パック警報装置。
【請求項９】
ケース内に収納され、下降する下部フックに当接する弾性部材を円錐状バネに構成したことを特徴とする請求項３に記載の簡易尿パック警報装置。
【請求項１０】
ケース内に弾性部材として、板状バネ及びコイル状バネを併用して収納され、下降する下部フックに当接したことを特徴とする請求項３に記載の簡易尿パック警報装置。
【請求項１１】
上部フックとケースを一体化したことを特徴とする請求項３に記載の簡易尿パック警報装置。
【請求項１２】
ケース内に警報器として、ブザー及びライトを設けたことを特徴とする請求項３に記載の簡易尿パック警報装置。
【請求項１３】
ケース内の弾性部材のバネ圧状態を微調整する調整ネジを設けたことを特徴とする請求項３に記載の簡易尿パック警報装置。
【請求項１４】
弾性部材に磁石を設置し、前記磁石に反応するホール素子によって、検知スイッチが作動することを特徴とした請求項３に記載の簡易尿パック警報装置。
【請求項１５】
ケース、フック、アラーム等を小型軽量化とし、ハンドバックやセカンドバック及びポケット等に収納し、常に携帯可能としたことを特徴とした請求項３に記載の簡易尿パック警報装置。